(57)【要約】      （修正有）【課題】４色以上の構成素子を１画素単位とする場合において、色偽の発生を抑えるとともに高解像度とすることができる映像表示装置及び映像表示方法を提供する。【解決手段】サブサンプリング部１２において、アナログＲＧＢ信号を、１画素単位に対して複数のタイミングでサンプリングする。このときのタイミングを、ＲＧＢ以外の追加した色の配置位置と、この追加した色を構成するＲＧＢの比率に応じた位置とに対応させて設定する。このようにサンプリングされて得られたデジタルＲＧＢ信号に基づいて、４色以上の色信号が表示用色信号生成部１４で生成される。【選択図】図１
2008083621.tif 000002
【特許請求の範囲】
【請求項１】
特定の３色の映像信号に基づいて当該特定の３色と異なる色を追加された４色以上となるｎ色の色信号を生成する表示用色信号生成部と、ｎ色に応じたｎ個の構成素子によって１画素単位が構成される表示部とを有する映像表示装置において、
前記映像信号をサンプリングする前記１画素単位毎のタイミングを、前記特定の３色以外に追加された追加色それぞれの設置位置に対応する第１タイミングと、前記特定の３色によって前記追加色と色が等価となる位置に対応する第２タイミングとの複数タイミングによって設定し、前記第１及び第２タイミングによって前記映像信号をサンプリングするサブサンプリング部を備え、
前記表示用色信号生成部が、前記サブサンプリング部でサンプリングされた信号の値に基づいて、前記ｎ色の色信号を生成することを特徴とする映像表示装置。
【請求項２】
ｎ色が４色の場合、
前記第１タイミングが、追加した１色の設置位置に対応したタイミングであり、
前記第２タイミングが、前記追加した１色と等価となる前記特定の３色による比率に応じた位置に対応したタイミングであることを特徴とする請求項１に記載の映像表示装置。
【請求項３】
ｎ色が５色の場合、
前記第１タイミングが、追加した２色の設置位置それぞれに対応した２タイミングであり、
前記第２タイミングが、前記追加した２色を合成した色と等価となる前記特定の３色による比率に応じた位置に対応した１タイミングであることを特徴とする請求項１に記載の映像表示装置。
【請求項４】
前記表示用色信号生成部において、
前記第１タイミングでサンプリングされた信号の値に基づいて、前記追加色に対する色信号を生成し、
前記第２タイミングでサンプリングされた信号の値に基づいて、前記特定の３色に対する色信号を生成することを特徴とする請求項１〜請求項３のいずれかに記載の映像表示装置。
【請求項５】
前記表示用色信号生成部において、
前記第１タイミングでサンプリングされた信号の値に基づいて、前記追加色に対する色信号を生成し、
前記第１タイミングでサンプリングされた信号の値に基づく色信号と第２タイミングでサンプリングされた信号の値に基づく色信号とを加重加算平均することで、前記特定の３色に対する色信号を生成することを特徴とする請求項１〜請求項３のいずれかに記載の映像表示装置。
【請求項６】
特定の３色の映像信号に基づいて当該特定の３色と異なる色を追加された４色以上となるｎ色の色信号を生成し、ｎ色に応じたｎ個の構成素子によって１画素単位が構成される表示部に与えて映像を表示する映像表示方法において、
前記映像信号をサンプリングする前記１画素単位毎のタイミングを、前記特定の３色以外に追加された追加色それぞれの設置位置に対応する第１タイミングと、前記特定の３色によって前記追加色と色が等価となる位置に対応する第２タイミングとの複数タイミングによって設定し、前記第１及び第２タイミングによって前記映像信号をサンプリングした後、サンプリングされた信号の値に基づいて、前記ｎ色の色信号を生成することを特徴とする映像表示方法。
【発明の詳細な説明】
【技術分野】
【０００１】
本発明は、カラー映像を表示する映像表示装置及び映像表示方法に関するもので、特に、４色以上の構成素子によってカラー映像を表示する映像表示装置及び映像表示方法に関する。
【背景技術】
【０００２】
ＬＣＤ（Liquid Crystal Display）やＰＤＰ（Plasma Display Panel）のように、複数色の構成素子によって構成される映像表示装置において、複数色の構成素子を１画素単位として表示する。即ち、複数色の構成素子としてＲＧＢ（Red, Green, Blue）による３色の構成素子が用いられるが、このＲＧＢの構成素子によって１画素単位とする。この３色の構成素子の配置は、同一位置ではなく隣接して配置されているが、人の目にとっては微少なズレであるため、３色の構成素子による色が加法混色されることで、人の目には１画素単位の光として認識される。
【０００３】
このＲＧＢの構成素子を備える映像表示装置においては、アナログ映像信号からデジタル映像信号に変換するために、１画素単位毎にサンプリングが行われるが、従来は、ＲＧＢを１画素単位とするため、中央に配置されているＧの構成素子の位置に対応してサンプリングされていた。しかしながら、３つの構成素子毎のサンプリングであるため、水平方向において、構成素子による分解能に対して低い解像度の映像が再生されることとなる。
【０００４】
よって、水平方向においてより高い解像度を得るために、連続する３フィールドの映像それぞれにおいて、１フィールド目では、ＲＧＢで並ぶ３つの構成素子を１画素単位とし、２フィールド目では、ＧＢＲで並ぶ３つの構成素子を１画素単位とし、３フィールド目では、ＢＲＧで並ぶ３つの構成素子を１画素単位として、３フィールドで１画素単位の構成素子の並びを変更するものが提案されている（特許文献１参照）。
【０００５】
この特許文献１の画像表示方法によると、フィールド毎に、サンプリング周波数ｆｓに対して（１／ｆｓ）／３時間のずれを与えてサンプリングを行うことで、１画素単位の構成素子を１構成素子ずつずらすことができる。そして、このように１画素単位の構成素子をずらすことによって、見かけ上の水平解像度を高くすることができる。
【特許文献１】特開２０００−２２１９３１号公報
【発明の開示】
【発明が解決しようとする課題】
【０００６】
しかしながら、ＲＧＢそれぞれの色に対して人の視感度が異なることから、特許文献１の画像表示方法において、２フィールド目においてＧＢＲを１画素単位とする場合、ＧとＲとが分離したように見える。これにより、結果的に色偽と呼ばれる現象を引き起こすことがある。又、最近は、高色再現性を重視する映像表示装置の普及が広がりつつあり、この１方式として、ＲＧＢの三原色に、Ｃｙ（Cyan）、Ｍｇ（Magenta）、Ｙｅ（Yellow）などの補色を加えた４色の構成素子によって構成されるものが提案されている。
【０００７】
しかしながら、この４色の構成素子に、特許文献１の画像表示方法を適用した場合、４フィールドで循環させることとなる。よって、擬似的に解像度を高くしたとしても、４フィールドの期間が必要となるため、４フィールドを再生する時間によっては、人の目においてちらつきを確認する可能性がある。更に、構成素子が４つ並ぶために、１画素単位の解像度が結果的には低くなっているため、特許文献１の画像表示方法によっても、高解像度の擬似化が困難となる可能性がある。
【０００８】
このような問題を鑑みて、本発明は、４色以上の構成素子を１画素単位とする場合において、色偽の発生を抑えるとともに高解像度とすることができる映像表示装置及び映像表示方法を提供することを目的とする。
【課題を解決するための手段】
【０００９】
上記目的を達成するために、本発明の映像表示装置は、特定の３色の映像信号に基づいて当該特定の３色と異なる色を追加された４色以上となるｎ色の色信号を生成する表示用色信号生成部と、ｎ色に応じたｎ個の構成素子によって１画素単位が構成される表示部とを有する映像表示装置において、前記映像信号をサンプリングする前記１画素単位毎のタイミングを、前記特定の３色以外に追加された追加色それぞれの設置位置に対応する第１タイミングと、前記特定の３色によって前記追加色と色が等価となる位置に対応する第２タイミングとの複数タイミングによって設定し、前記第１及び第２タイミングによって前記映像信号をサンプリングするサブサンプリング部を備え、前記表示用色信号生成部が、前記サブサンプリング部でサンプリングされた信号の値に基づいて、前記ｎ色の色信号を生成する。
【００１０】
このような映像表示装置において、ｎ色が４色の場合、前記第１タイミングが、追加した１色の設置位置に対応したタイミングであり、前記第２タイミングが、前記追加した１色と等価となる前記特定の３色による比率に応じた位置に対応したタイミングであるものとする。又、ｎ色が５色の場合、前記第１タイミングが、追加した２色の設置位置それぞれに対応した２タイミングであり、前記第２タイミングが、前記追加した２色を合成した色と等価となる前記特定の３色による比率に応じた位置に対応した１タイミングであるものとする。
【００１１】
更に、前記表示用色信号生成部において、前記第１タイミングでサンプリングされた信号の値に基づいて、前記追加色に対する色信号を生成し、前記第２タイミングでサンプリングされた信号の値に基づいて、前記特定の３色に対する色信号を生成するものであっても構わない。又、前記表示用色信号生成部において、前記第１タイミングでサンプリングされた信号の値に基づいて、前記追加色に対する色信号を生成し、前記第１タイミングでサンプリングされた信号の値に基づく色信号と第２タイミングでサンプリングされた信号の値に基づく色信号とを加重加算平均することで、前記特定の３色に対する色信号を生成するものであっても構わない。
【００１２】
そして、前記表示部において、前記１画素単位が、一方向に並んで配置されるｎ個の構成素子によって構成されるものとしても構わないし、２方向のマトリクス状に配置されるｎ個の構成素子によって構成されるものとしても構わない。
【００１３】
又、本発明の映像表示方法は、特定の３色の映像信号に基づいて当該特定の３色と異なる色を追加された４色以上となるｎ色の色信号を生成し、ｎ色に応じたｎ個の構成素子によって１画素単位が構成される表示部に与えて映像を表示する映像表示方法において、前記映像信号をサンプリングする前記１画素単位毎のタイミングを、前記特定の３色以外に追加された追加色それぞれの設置位置に対応する第１タイミングと、前記特定の３色によって前記追加色と色が等価となる位置に対応する第２タイミングとの複数タイミングによって設定し、前記第１及び第２タイミングによって前記映像信号をサンプリングした後、サンプリングされた信号の値に基づいて、前記ｎ色の色信号を生成することを特徴とする。
【００１４】
このような映像表示方法において、ｎ色が４色の場合、前記第１タイミングが、追加した１色の設置位置に対応したタイミングであり、前記第２タイミングが、前記追加した１色と等価となる前記特定の３色による比率に応じた位置に対応したタイミングであるものとする。又、ｎ色が５色の場合、前記第１タイミングが、追加した２色の設置位置それぞれに対応した２タイミングであり、前記第２タイミングが、前記追加した２色を合成した色と等価となる前記特定の３色による比率に応じた位置に対応した１タイミングであるものとする。
【００１５】
更に、前記第１タイミングでサンプリングされた信号の値に基づいて、前記追加色に対する色信号を生成し、前記第２タイミングでサンプリングされた信号の値に基づいて、前記特定の３色に対する色信号を生成するものであっても構わない。又、前記第１タイミングでサンプリングされた信号の値に基づいて、前記追加色に対する色信号を生成し、前記第１タイミングでサンプリングされた信号の値に基づく色信号と第２タイミングでサンプリングされた信号の値に基づく色信号とを加重加算平均することで、前記特定の３色に対する色信号を生成するものであっても構わない。
【発明の効果】
【００１６】
本発明によると、１画素単位に対してサンプリングするタイミングを複数設けるため、擬似的に画素数を増やすことができ、その解像度を高くすることができる。即ち、３色の映像信号より４色の色信号を生成した場合において、１画素単位でサンプリングするタイミングを複数設定することで、擬似的に画素数を増やすことができ、高解像度とすることができる。又、これにより、色偽の発生を抑制することも可能となる。
【発明を実施するための最良の形態】
【００１７】
以下に、本発明の実施形態について、図面を参照して説明する。
【００１８】
＜映像表示装置の構成＞
まず、以下の各実施形態において共通となる映像表示装置の構成について、図面を参照して説明する。図１は、以下の各実施形態において共通となる映像表示装置の内部構成を示すブロック図である。
【００１９】
図１に示す映像表示装置は、入力されるアナログ信号の輝度信号Ｙと色差信号Ｃｒ，Ｃｂとを用いて演算してアナログＲＧＢ信号を生成する輝度色差−ＲＧＢマトリクス部１１と、輝度色差−ＲＧＢマトリクス部１１からのアナログＲＧＢ信号を設定された画素位置でサンプリングしてデジタル信号となるＲＧＢ信号を生成するサブサンプリング部１２と、サブサンプリング部１２で得られたデジタルＲＧＢ信号それぞれを一時的に記憶するメモリ部１３と、メモリ部１３に記憶したデジタルＲＧＢ信号によってＲＧＢを含む４色以上の色信号に変換する表示用色信号生成部１４と、表示用信号生成部１４で生成された色信号が与えられ水平垂直走査を行うドライバ部１５と、ドライバ部１５の水平垂直走査によって映像表示を行う表示部１６と、サブサンプリング部１２におけるサンプリング動作を制御するために制御信号をクロックＣＬと水平垂直走査信号Ｈ，Ｖとから生成するサブサンプリング制御部１７と、を備える。
【００２０】
このように構成される映像表示装置において、アナログ信号の輝度信号Ｙ及び色差信号Ｃｒ，Ｃｂが入力されると、輝度色差−ＲＧＢマトリクス部１１において、輝度信号Ｙ及び色差信号Ｃｒ，Ｃｂに係数を与えて加算することによって、アナログＲＧＢ信号が生成される。そして、このアナログＲＧＢ信号がサブサンプリング部１２に与えられる。又、サブサンプリング制御部１７において、表示部１６における１画素単位の構成素子の配置が認識される。そして、サブサンプリング部１２でアナログＲＧＢ信号をサンプリングするタイミングが構成素子の配置と応じたものと設定できる制御信号が、クロックＣＬと水平垂直走査信号Ｈ，Ｖにより生成される。
【００２１】
この制御信号がサブサンプリング部１２に与えられることによって、制御信号で設定されるタイミングでアナログＲＧＢ信号をサンプリングするとともに、デジタルＲＧＢ信号に変換する。サブサンプリング部１２で得られたデジタルＲＧＢ信号はメモリ部１３に与えられ、サンプリングされたデータ毎に一時的に記憶される。尚、このサブサンプリング部１２の詳細な動作については、以下の各実施形態によって異なるため、以下の各実施形態で後述する。
【００２２】
そして、表示用信号生成部１４によって、メモリ部１３で一時的に記憶されたＲＧＢ信号それぞれのデータがサンプリングタイミング毎に読み出される。表示用信号生成部１４では、このサンプリングタイミング毎に読み出されたＲＧＢ信号に基づいて、表示部１６における１画素単位となる色の異なる構成素子に与える色信号を生成する。このとき、１画素単位毎に、ＲＧＢ信号それぞれのデータとして、複数のサンプリングタイミングによるデータが入力され、各構成素子に対するデータが演算され、演算結果となる各構成素子に対するデータによって色信号が生成される。尚、この表示用信号生成部１４の詳細な動作についても、以下の各実施形態によって異なるため、以下の各実施形態で後述する。
【００２３】
各構成素子に応じたデータによって成る色信号が、表示用信号生成部１４からドライバ部１５に与えられる。そして、ドライバ部１５が、表示用信号生成部１４からの色信号のデータを行毎に水平走査信号として出力するとともに、色信号のデータが与えられる行毎に各行の構成素子を駆動させる垂直走査信号を出力する。これにより、表示部１６における１画素単位毎に設けられた構成素子が行毎に発光し、入力された輝度信号Ｙ及び色差信号Ｃｒ，Ｃｂに基づく映像が表示されることとなる。
【００２４】
このような映像表示装置の各実施形態について、以下に説明する。尚、以下の各実施形態では、１画素単位を構成する構成素子の並び方の違いにより、サブサンプリング部１２及び表示用信号生成部１４それぞれの動作が異なるため、このンプリング部１２及び表示用信号生成部１４それぞれの詳細な動作について説明する。
【００２５】
＜第１の実施形態＞
本発明の第１の実施形態について、図面を参照して説明する。図２は、本実施形態の映像表示装置の表示部における構成素子の並びと、サンプリングを行うタイミングとの関係を示す図である。
【００２６】
図２に示すように、本実施形態の映像表示装置の表示部１６において、水平方向に並んだ４つの構成素子Ｒ１，Ｇ１，Ｂ１，Ｙｅ１によって、１画素単位Ｇｘ１が構成される。尚、構成素子Ｒ１，Ｇ１，Ｂ１，Ｙｅ１はそれぞれ、色信号Ｒ（Red），Ｇ（Green），Ｂ（Blue），Ｙｅ（Yellow）に対応する構成素子であり、Ｒ１，Ｇ１，Ｂ１，Ｙｅ１の順に並べられる。又、色信号Ｙｅは、色信号Ｒ，Ｇの合成によって生成されるものであるため、擬似的に、色信号Ｙｅ＝Ｒ＋Ｇと置換することができるものとする。
【００２７】
このように、表示部１４において、図２のような並びの構成素子Ｒ１，Ｇ１，Ｂ１，Ｙｅ１によって構成される１画素単位Ｇｘ１が繰り返し水平方向に連続して並ぶとともに、この画素単位Ｇｘ１を複数繰り返し配置する。そして、複数の画素単位Ｇｘ１に対する構成素子Ｒ１，Ｇ１，Ｂ１，Ｙｅ１が並んだ行が垂直方向に並ぶことによって、表示部において、水平方向に隣接して並ぶ構成素子Ｒ１，Ｇ１，Ｂ１，Ｙｅ１による複数の画素単位Ｇｘ１がマトリクス状に配置される。
【００２８】
このように表示部１６における各画素単位Ｇｘ１が構成されるとき、サブサンプリング部１２におけるＲＧＢ信号に対するサンプリングを行うタイミングとして、１画素単位Ｇｘ１に対して、２つのタイミングＴ１，Ｔ２が設定される。即ち、色信号Ｙｅを色信号Ｒ，Ｇによって合成されたＲ＋Ｇと擬似的に置換できることに基づいて、構成素子Ｒ１，Ｇ１，Ｂ１を一つの画素単位Ｇａ１と擬似的に設定するとともに、構成素子Ｂ１，Ｙｅ１を１つの画素単位Ｇｂ１と擬似的に設定する。そして、擬似的な画素単位Ｇａ１，Ｇｂ１それぞれの位置に対応したタイミングＴ１，Ｔ２がサンプリングタイミングとして設定される。このとき、タイミングＴ１が、２つの構成素子Ｒ１，Ｇ１間の中心位置に応じたタイミングとされ、タイミングＴ２が、構成素子Ｙｅ１の中心位置に応じたタイミングとされる。
【００２９】
このように、画素単位Ｇｘ１毎にタイミングＴ１，Ｔ２が設定されているとき、図３のようなアナログＲＧＢ信号それぞれがサブサンプリング部１２に入力されると、アナログＲＧＢ信号に対して、図４に示すように、画素単位Ｇｘ１毎にタイミングＴ１，Ｔ２でサンプリングを行う。そして、サンプリングしたアナログＲＧＢ信号の値をデジタルデータに変換して、デジタルＲＧＢとしてメモリ部１３に記憶させる。
【００３０】
よって、メモリ部１３には、擬似的な画素単位Ｇａ１，Ｇｂ１それぞれに対するデジタルＲＧＢ信号のデータが格納されることとなる。そして、表示用信号生成部１４によって、この擬似的な画素単位Ｇａ１，Ｇｂ１それぞれのデジタルＲＧＢ信号のデータが、画素単位Ｇｘ１毎に読み出される。表示用信号生成部１４では、図４のような擬似的な画素単位Ｇａ１に対するデジタルＲＧＢ信号のデータを読み出すと、ＲＧＢ信号それぞれのデータを、図５に示すように、画素単位Ｇｘ１を構成する構成素子の内、構成素子Ｒ１，Ｇ１，Ｂ１に対するデータとする。又、図４のような擬似的な画素単位Ｇｂ１に対するデジタルＲＧＢ信号のデータを読み出すと、図６に示すように、Ｂ信号のデータを、画素単位Ｇｘ１を構成する構成素子の１つである構成素子Ｂ１に対するデータとし、ＲＧ信号のデータを合成したデータを、画素単位Ｇｘ１を構成する構成素子の１つである構成素子Ｙｅ１に対するデータとする。
【００３１】
即ち、表示用信号生成部１４は、図７に示すように、擬似的な画素単位Ｇａ１のＲＧＢ信号が入力されて、構成素子Ｒ１，Ｇ１，Ｂ１それぞれに与える色信号を生成するＲＧＢ用色信号生成部１４１と、擬似的な画素単位Ｇｂ１のＲＧＢ信号が入力されて、構成素子Ｂ１，Ｙｅ１それぞれに与える色信号を生成するＢＹｅ用色信号生成部１４２と、を備える。そして、ＲＧＢ用色信号生成部１４１より構成素子Ｒ１，Ｇ１，Ｂ１それぞれに与える色信号が生成されるとともに、ＢＹｅ用色信号生成部１４２より構成素子Ｂ１，Ｙｅ１それぞれに与える色信号が生成されると、ＲＧＢ信号生成部１４１及びＢＹｅ信号生成部１４２それぞれからの構成素子Ｂ１の色信号に対して加重加算平均がなされる。
【００３２】
よって、表示用信号生成部１４は、図７に示すように、更に構成素子Ｂ１の色信号を生成する加重加算平均部１４３を備え、この加重加算平均部１４３において、ＲＧＢ信号生成部１４１及びＢＹｅ信号生成部１４２それぞれからの構成素子Ｂ１の色信号に対する加重加算平均を行う。即ち、図８に示すように、擬似的な画素単位Ｇａ１のＲＧＢ信号から得られる構成素子Ｂ１の色信号ｂ１と、擬似的な画素単位Ｇｂ１のＲＧＢ信号から得られる構成素子Ｂ１の色信号ｂ２とによって、ｋ×ｂ１＋（１−ｋ）×ｂ２（ｋは、０＜ｋ＜１の定数）となる加重加算平均を行い、構成素子Ｂ１の色信号ｂ３を生成する。
【００３３】
このように、構成素子Ｒ１，Ｇ１，Ｂ１，Ｙｅ１それぞれの色信号が生成されると、表示部１６上の構成素子Ｒ１，Ｇ１，Ｂ１，Ｙｅ１それぞれの設置位置に応じた色信号となるように、図９のように、生成された構成素子Ｒ１，Ｇ１，Ｂ１，Ｙｅ１それぞれの色信号を合成する。即ち、表示用信号生成部１４は、図７に示すように、構成素子Ｒ１，Ｇ１，Ｂ１，Ｙｅ１それぞれの色信号を合成する合成部１４４を備える。この合成部１４４において、ＲＧＢ用色信号生成部１４１からの構成素子Ｒ１，Ｇ１に与える色信号と、加重加算平均部１４３からの構成素子Ｂ１に与える色信号と、ＢＹｅ用色信号生成部１４２からの構成素子Ｙｅ１に与える色信号とを合成することで、１画素単位Ｇｘ１の色信号を生成する。
【００３４】
そして、合成されて得られた画素単位Ｇｘ１を構成する構成素子Ｒ１，Ｇ１，Ｂ１，Ｙｅ１の色信号がドライバ部１５に出力される。これにより、ドライバ部１５より、画素単位Ｇｘ１毎に与えられる構成素子Ｒ１，Ｇ１，Ｂ１，Ｙｅ１の色信号のデータに基づいて、表示部１６に水平走査信号を出力することで、表示部１６における映像が再生される。
【００３５】
このように、画素単位Ｇｘ１毎に、擬似的な画素単位Ｇａ１，Ｇｂ１を設定して、サンプリングするタイミングＴ１，Ｔ２を設定することで、４つの構成素子からなる画素単位を２つの画素単位に擬似的に分割することができる。これにより、４つの構成素子を１画素単位とする場合に比べて、その解像度を高くすることができ、更に、再生する映像に対して、色偽現象を防ぐとともに鮮鋭化することができる。
【００３６】
＜第２の実施形態＞
本発明の第２の実施形態について、図面を参照して説明する。図１０は、本実施形態の映像表示装置の表示部における構成素子の並びと、サンプリングを行うタイミングとの関係を示す図である。又、図１２は、本実施形態の映像表示装置における表示用信号生成部１４の内部構成を示すブロック図である。
【００３７】
図１０に示すように、本実施形態の映像表示装置の表示部１６において、水平方向に並んだ４つの構成素子Ｒ１，Ｇ１，Ｂ１，Ｃｙ１によって、１画素単位Ｇｘ２が構成される。尚、構成素子Ｒ１，Ｇ１，Ｂ１，Ｃｙ１はそれぞれ、色信号Ｒ（Red），Ｇ（Green），Ｂ（Blue），Ｃｙ（Cyan）に対応する構成素子であり、Ｒ１，Ｇ１，Ｂ１，Ｃｙ１の順に並べられる。又、色信号Ｃｙは、色信号Ｇ，Ｂの合成によって生成されるものであるため、擬似的に、色信号Ｃｙ＝Ｇ＋Ｂと置換することができるものとする。
【００３８】
即ち、第１の実施形態と異なり、図１０のような並びの構成素子Ｒ１，Ｇ１，Ｂ１，Ｃｙ１によって構成される１画素単位Ｇｘ２が、表示部１４においてマトリクス状に配置される。このように表示部１６における各画素単位Ｇｘ２が構成されるとき、サブサンプリング部１２におけるＲＧＢ信号に対するサンプリングを行うタイミングとして、１画素単位Ｇｘ２に対して、２つのタイミングＴ３，Ｔ４が設定される。
【００３９】
本実施形態では、第１の実施形態と異なり、色信号Ｃｙを色信号Ｇ，Ｂによって合成されたＧ＋Ｂと擬似的に置換できることに基づいて、構成素子Ｒ１，Ｇ１，Ｂ１を一つの画素単位Ｇａ１と擬似的に設定するとともに、構成素子Ｃｙ１，Ｒ１を１つの画素単位Ｇｂ２と擬似的に設定する。尚、画素単位Ｇｂ２については、隣接する２つの画素単位Ｇｘ２の一方における構成素子Ｃｙ１と他方における構成素子Ｒ１とによって、構成されることとなる。そして、擬似的な画素単位Ｇａ１，Ｇｂ２それぞれの位置に対応したタイミングＴ３，Ｔ４がサンプリングタイミングとして設定される。このとき、タイミングＴ３が、２つの構成素子Ｇ１，Ｂ１の中心位置に応じたタイミングとされ、タイミングＴ４が、構成素子Ｃｙ１の中心位置に応じたタイミングとされる。
【００４０】
このように、画素単位Ｇｘ２毎にタイミングＴ３，Ｔ４が設定されているとき、図１１（ａ）のようなアナログＲＧＢ信号それぞれがサブサンプリング部１２に入力されると、アナログＲＧＢ信号に対して、図１１（ｂ）に示すように、画素単位Ｇｘ２毎にタイミングＴ３，Ｔ４でサンプリングを行う。そして、サンプリングしたアナログＲＧＢ信号の値をデジタルデータに変換して、第１の実施形態と同様、擬似的な画素単位Ｇａ１，Ｇｂ２それぞれのデジタルＲＧＢ信号として、メモリ部１３に記憶させる。
【００４１】
そして、表示用信号生成部１４によって、この擬似的な画素単位Ｇａ１，Ｇｂ２それぞれのデジタルＲＧＢ信号のデータが、画素単位Ｇｘ２毎に読み出される。この表示用信号生成部１４は、図１２のように、擬似的な画素単位Ｇａ１のＲＧＢ信号が入力されて構成素子Ｒ１，Ｇ１，Ｂ１それぞれに与える色信号を生成するＲＧＢ用色信号生成部１４１と、擬似的な画素単位Ｇｂ２のＲＧＢ信号が入力されて構成素子Ｃｙ１，Ｒ１それぞれに与える色信号を生成するＣｙＲ用色信号生成部１４５と、ＣｙＲ用信号生成部１４５で生成された構成素子Ｒ１に対する色信号を一時記憶するメモリ部１４６と、ＲＧＢ用色信号生成部１４１からの構成素子Ｒ１に対する色信号とメモリ部１４６に格納された構成素子Ｒ１に対する色信号を加重加算平均する加重加算平均部１４７と、構成素子Ｒ１，Ｇ１，Ｂ１，Ｃｙ１それぞれの色信号を合成する合成部１４４と、を備える。
【００４２】
このような表示用信号生成部１４では、１画素単位Ｇｘ２におけるデジタルＲＧＢ信号のデータをメモリ部１３より読み出すと、ＲＧＢ用色信号生成部１４１によって、擬似的な画素単位Ｇａ１のＲＧＢ信号に基づき、構成素子Ｒ１，Ｇ１，Ｂ１それぞれに与える色信号が生成される。又、ＣｙＲ用色信号生成部１４５によって、擬似的な画素単位Ｇｂ２のＲＧＢ信号に基づき、構成素子Ｃｙ１，Ｒ１それぞれに与える色信号が生成される。尚、ＣｙＲ用色信号生成部１４５で得られる構成素子Ｒ１に与える色信号については、ＲＧＢ用色信号生成部１４１で得られる構成素子Ｒ１，Ｇ１，Ｂ１それぞれに与える色信号及びＣｙＲ用色信号生成部１４５で得られる構成素子Ｃｙ１に与える色信号と異なり、対象とする画素単位Ｇｘ２に隣接する画素単位を構成する構成素子Ｒ１に対する色信号である。
【００４３】
そして、ＣｙＲ用色信号生成部１４５で得られた構成素子Ｒ１に対する色信号は、メモリ部１４６に与えられて一時的格納される。又、ＲＧＢ用色信号生成部１４１で得られる構成素子Ｒ１に対する色信号ｒ１と、メモリ部１４６に既に記憶された対象となる画素単位Ｇｘ２の構成素子Ｒ１に対する色信号ｒ２とが、加重加算平均部１４７に与えられる。この加重加算平均部１４７で色信号ｒ１，ｒ２が加重加算平均されると、加重加算平均された構成素子Ｒ１に対する色信号ｒ３を出力する。
【００４４】
そして、加重加算平均部１４７で加重加算平均された構成素子Ｒ１に対する色信号と、ＲＧＢ用色信号生成部１４１で得られる構成素子Ｇ１，Ｂ１それぞれに対する色信号と、ＣｙＲ用色信号生成部１４５で得られる構成素子Ｃｙ１に対する色信号とが、合成部１４４に与えられる。合成されて得られた画素単位Ｇｘ２を構成する構成素子Ｒ１，Ｇ１，Ｂ１，Ｃｙ１の色信号がドライバ部１５に出力される。これにより、ドライバ部１５より、画素単位Ｇｘ２毎に与えられる構成素子Ｒ１，Ｇ１，Ｂ１，Ｃｙ１の色信号のデータに基づいて、表示部１６に水平走査信号を出力することで、表示部１６における映像が再生される。
【００４５】
このように、本実施形態でも、第１の実施形態と同様、画素単位Ｇｘ２毎に、擬似的な画素単位Ｇａ１，Ｇｂ２を設定して、サンプリングするタイミングＴ３，Ｔ４を設定することで、４つの構成素子からなる画素単位を２つの画素単位に擬似的に分割することができる。これにより、４つの構成素子を１画素単位とする場合に比べて、その解像度を高くすることができ、更に、再生する映像に対して、色偽現象を防ぐとともに鮮鋭化することができる。
【００４６】
＜第３の実施形態＞
本発明の第３の実施形態について、図面を参照して説明する。図１３は、本実施形態の映像表示装置の表示部における構成素子の並びと、サンプリングを行うタイミングとの関係を示す図である。又、図１５は、本実施形態の映像表示装置における表示用信号生成部１４の内部構成を示すブロック図である。
【００４７】
図１３に示すように、本実施形態の映像表示装置の表示部１６において、水平方向に並んだ５つの構成素子Ｒ１，Ｇ１，Ｂ１，Ｙｅ１，Ｃｙ１によって、１画素単位Ｇｘ３が構成される。尚、構成素子Ｒ１，Ｇ１，Ｂ１，Ｙｅ１，Ｃｙ１はそれぞれ、色信号Ｒ（Red），Ｇ（Green），Ｂ（Blue），Ｙｅ（Yellow），Ｃｙ（Cyan）に対応する構成素子であり、Ｒ１，Ｇ１，Ｂ１，Ｙｅ１，Ｃｙ１の順に並べられる。又、色信号Ｙｅ，Ｃｙはそれぞれ、第１及び第２の実施形態と同様、擬似的に、色信号Ｙｅ＝Ｒ＋Ｇ及び色信号Ｃｙ＝Ｇ＋Ｂと置換することができるものとする。
【００４８】
即ち、第１及び第２の実施形態と異なり、図１３のような並びの構成素子Ｒ１，Ｇ１，Ｂ１，Ｙｅ１，Ｃｙ１によって構成される１画素単位Ｇｘ３が、表示部１４においてマトリクス状に配置される。このように表示部１６における各画素単位Ｇｘ３が構成されるとき、サブサンプリング部１２におけるＲＧＢ信号に対するサンプリングを行うタイミングとして、１画素単位Ｇｘ３に対して、３つのタイミングＴ５〜Ｔ７が設定される。
【００４９】
本実施形態では、第１の実施形態と同様、構成素子Ｒ１，Ｇ１，Ｂ１を一つの画素単位Ｇａ１と擬似的に設定するとともに、構成素子Ｂ１，Ｙｅ１を１つの画素単位Ｇｂ１と擬似的に設定し、更に、第２の実施形態と同様、構成素子Ｃｙ１，Ｒ１を１つの画素単位Ｇｂ２と擬似的に設定する。そして、擬似的な画素単位Ｇａ１，Ｇｂ１，Ｇｂ２それぞれの位置に対応したタイミングＴ５〜Ｔ７がサンプリングタイミングとして設定される。このとき、タイミングＴ５が、構成素子Ｇ１の中心位置に応じたタイミングとされ、第２の実施形態のタイミングＴ２と同様、タイミングＴ６が、構成素子Ｙｅ１の中心位置に応じたタイミングとされ、第２の実施形態のタイミングＴ４と同様、タイミングＴ７が、構成素子Ｃｙ１の中心位置に応じたタイミングとされる。
【００５０】
このように、画素単位Ｇｘ３毎にタイミングＴ５〜Ｔ７が設定されているとき、図１４（ａ）のようなアナログＲＧＢ信号それぞれがサブサンプリング部１２に入力されると、アナログＲＧＢ信号に対して、図１４（ｂ）に示すように、画素単位Ｇｘ３毎にタイミングＴ５〜Ｔ７でサンプリングを行う。そして、サンプリングしたアナログＲＧＢ信号の値をデジタルデータに変換して、第１及び第２の実施形態と同様、擬似的な画素単位Ｇａ１，Ｇｂ１，Ｇｂ２それぞれのデジタルＲＧＢ信号として、メモリ部１３に記憶させる。
【００５１】
又、表示用信号生成部１４は、図１５のように、擬似的な画素単位Ｇａ１のＲＧＢ信号が入力されて構成素子Ｒ１，Ｇ１，Ｂ１それぞれに与える色信号を生成するＲＧＢ用色信号生成部１４１と、擬似的な画素単位Ｇｂ１のＲＧＢ信号が入力されて構成素子Ｂ１，Ｙｅ１それぞれに与える色信号を生成するＢＹｅ用色信号生成部１４２と、擬似的な画素単位Ｇｂ２のＲＧＢ信号が入力されて構成素子Ｃｙ１，Ｒ１それぞれに与える色信号を生成するＣｙＲ用色信号生成部１４５と、ＣｙＲ用信号生成部１４５で生成された構成素子Ｒ１に対する色信号を一時記憶するメモリ部１４６と、ＲＧＢ用色信号生成部１４１及びＢＹｅ用色信号生成部１４２からの構成素子Ｂ１に対する色信号を加重加算平均する加重加算平均部１４３と、ＲＧＢ用色信号生成部１４１からの構成素子Ｒ１に対する色信号とメモリ部１４６に格納された構成素子Ｒ１に対する色信号を加重加算平均する加重加算平均部１４７と、構成素子Ｒ１，Ｇ１，Ｂ１，Ｙｅ１，Ｃｙ１それぞれの色信号を合成する合成部１４４と、を備える。
【００５２】
このような表示用信号生成部１４では、１画素単位Ｇｘ３におけるデジタルＲＧＢ信号のデータをメモリ部１３より読み出すと、ＲＧＢ用色信号生成部１４１によって、擬似的な画素単位Ｇａ１のＲＧＢ信号に基づき、構成素子Ｒ１，Ｇ１，Ｂ１それぞれに与える色信号が生成される。又、ＢＹｅ用色信号生成部１４２によって、擬似的な画素単位Ｇｂ１のＲＧＢ信号に基づき、構成素子Ｂ１，Ｙｅ１それぞれに与える色信号が生成される。更に、ＣｙＲ用色信号生成部１４５によって、擬似的な画素単位Ｇｂ２のＲＧＢ信号に基づき、構成素子Ｃｙ１，Ｒ１それぞれに与える色信号が生成される。尚、ＣｙＲ用色信号生成部１４５で得られる構成素子Ｒ１に与える色信号については、第２の実施形態と同様、ＲＧＢ用色信号生成部１４１で得られる構成素子Ｒ１，Ｇ１，Ｂ１それぞれに与える色信号及びＣｙＲ用色信号生成部１４５で得られる構成素子Ｃｙ１に与える色信号と異なり、対象とする画素単位Ｇｘ３に隣接する画素単位を構成する構成素子Ｒ１に対する色信号である。
【００５３】
そして、ＲＧＢ信号生成部１４１及びＢＹｅ信号生成部１４２それぞれからの構成素子Ｂ１の色信号ｂ１，ｂ２が加重加算平均部１４３に与えられると、この色信号ｂ１，ｂ２に対して加重加算平均が施されて、構成素子Ｂ１に対する色信号ｂ３が生成される。又、ＣｙＲ用色信号生成部１４５で得られた構成素子Ｒ１に対する色信号は、メモリ部１４６に与えられて一時的格納される。更に、ＲＧＢ用色信号生成部１４１で得られる構成素子Ｒ１に対する色信号ｒ１と、メモリ部１４６に記憶された対象となる画素単位Ｇｘ２の構成素子Ｒ１に対する色信号ｒ２とが、加重加算平均部１４７に与えられる。この加重加算平均部１４７で色信号ｒ１，ｒ２が加重加算平均されると、加重加算平均された構成素子Ｒ１に対する色信号ｒ３を出力する。
【００５４】
そして、加重加算平均部１４３，１４７で加重加算平均された構成素子Ｂ１，Ｒ１それぞれに対する色信号と、ＲＧＢ用色信号生成部１４１、ＢＹｅ信号生成部１４２、及びＣｙＲ用色信号生成部１４５それぞれで得られる構成素子Ｇ１，Ｙｅ１，Ｃｙ１に対する色信号とが、合成部１４４に与えられる。合成されて得られた画素単位Ｇｘ３を構成する構成素子Ｒ１，Ｇ１，Ｂ１，Ｙｅ１，Ｃｙ１の色信号がドライバ部１５に出力される。これにより、ドライバ部１５より、画素単位Ｇｘ３毎に与えられる構成素子Ｒ１，Ｇ１，Ｂ１，Ｙｅ１，Ｃｙ１の色信号のデータに基づいて、表示部１６に水平走査信号を出力することで、表示部１６における映像が再生される。
【００５５】
このように、本実施形態では、画素単位Ｇｘ３毎に、擬似的な画素単位Ｇａ１，Ｇｂ１，Ｇｂ２を設定して、サンプリングするタイミングＴ５〜Ｔ７を設定することで、５つの構成素子からなる画素単位を３つの画素単位に擬似的に分割することができる。これにより、５つの構成素子を１画素単位とする場合に比べて、又は、第１及び第２の実施形態と同様、４つの構成素子を１画素単位とする場合に比べて、その解像度を高くすることができ、更に、再生する映像に対して、色偽現象を防ぐとともに鮮鋭化することができる。
【００５６】
尚、第１〜第３の実施形態において、異なる色の構成素子が水平方向に並ぶことで画素単位が構成されるものとしたが、このとき、１画素単位を構成する構成素子の配置については、第１〜第３の実施形態に限られるものでなくても構わない。このとき、設定される擬似的な画素単位は、隣接する複数の構成素子によってＲＧＢの関係が同等となるものによって構成する。そして、サンプリングするタイミングについては、擬似的な画素単位それぞれを構成する構成素子の色が合成される比率に等価な位置に対応するタイミングに設定される。
【００５７】
更に、擬似的な画素単位それぞれが重なる位置に配置される構成素子がある場合は、その構成素子以外の構成素子の色が合成される比率に等価な位置に対応するタイミングを、サンプリングするタイミングとして設定する。即ち、ＲＧＢに追加した色の構成素子が設置される位置に対応するタイミングと、構成素子Ｒ１，Ｇ１，Ｂ１に対して追加した色により合成された色と等価となる位置に対応するタイミングとが、サンプリングするタイミングとして設定される。又、擬似的な画素単位が重なる構成素子に対する色信号については、擬似的な画素単位それぞれから得られる色信号を加重加算することで生成される。
【００５８】
＜第４の実施形態＞
本発明の第４の実施形態について、図面を参照して説明する。尚、本実施形態では、第１〜第３の実施形態と異なり、２行２列のマトリクス状に並んだ４つの構成素子によって、１画素単位が設定される。図１６は、本実施形態の映像表示装置の表示部における構成素子の並びと、サンプリングを行うタイミングとの関係を示す図である。又、図１８は、本実施形態の映像表示装置における表示用信号生成部１４の内部構成を示すブロック図である。
【００５９】
図１６に示すように、本実施形態の映像表示装置の表示部１６において、水平方向に並んだ２つの構成素子Ｒ１，Ｇ１と、水平方向に並んだ２つの構成素子Ｙｅ１，Ｂ１とが垂直方向に並ぶことによって、１画素単位Ｇｘ４が構成される。尚、構成素子Ｒ１，Ｇ１，Ｂ１，Ｙｅ１はそれぞれ、色信号Ｒ（Red），Ｇ（Green），Ｂ（Blue），Ｙｅ（Yellow）に対応する構成素子である。そして、構成素子Ｒ１，Ｇ１が、奇数行において、水平方向にＲ１，Ｇ１の順に繰り返すように並べられ、又、構成素子Ｂ１，Ｙｅ１が、偶数行において、Ｙｅ１，Ｂ１の順に繰り返すように並べられる。又、色信号Ｙｅはそれぞれ、第１の実施形態と同様、擬似的に、色信号Ｙｅ＝Ｒ＋Ｇと置換することができるものとする。
【００６０】
このように表示部１６における各画素単位Ｇｘ４が構成されるとき、サブサンプリング部１２におけるＲＧＢ信号に対するサンプリングを行うタイミングとして、１画素単位Ｇｘ４に対して、２つのタイミングＴ８，Ｔ９が設定される。即ち、色信号Ｙｅを色信号Ｒ，Ｇによって合成されたＲ＋Ｇと擬似的に置換できることに基づいて、構成素子Ｒ１，Ｇ１，Ｂ１を一つの画素単位Ｇａ２と擬似的に設定するとともに、構成素子Ｂ１，Ｙｅ１を１つの画素単位Ｇｂ３と擬似的に設定する。そして、擬似的な画素単位Ｇａ２，Ｇｂ３それぞれの位置に対応したタイミングＴ９，Ｔ８がサンプリングタイミングとして設定される。このとき、タイミングＴ９が、２つの構成素子Ｒ１，Ｇ１間の中心位置に応じたタイミングとされ、タイミングＴ８が、構成素子Ｙｅ１の中心位置に応じたタイミングとされる。
【００６１】
このように、画素単位Ｇｘ４毎にタイミングＴ８，Ｔ９が設定されているとき、図１７（ａ）のようなアナログＲＧＢ信号それぞれがサブサンプリング部１２に入力されると、アナログＲＧＢ信号に対して、図１７（ｂ）に示すように、画素単位Ｇｘ４毎にタイミングＴ８，Ｔ９でサンプリングを行う。そして、サンプリングしたアナログＲＧＢ信号の値をデジタルデータに変換して、第１の実施形態と同様、擬似的な画素単位Ｇａ２，Ｇｂ３それぞれのデジタルＲＧＢ信号として、メモリ部１３に記憶させる。
【００６２】
そして、表示用信号生成部１４によって、この擬似的な画素単位Ｇａ２，Ｇｂ３それぞれのデジタルＲＧＢ信号のデータが、画素単位Ｇｘ４毎に読み出される。この表示用信号生成部１４は、図１８に示すように、第１の実施形態における図７の構成に対して、合成部１４４の代わりに、合成部１４４ａ，１４４ｂが設けられるとともに、合成部１４４ｂからの色信号を１行分だけ一時的に格納するラインメモリ１４８を備えた構成となる。よって、擬似的な画素単位Ｇａ２のＲＧＢ信号がＲＧＢ用色信号生成部１４１に与えられて、構成素子Ｒ１，Ｇ１，Ｂ１それぞれに対する色信号が生成されるとともに、擬似的な画素単位Ｇｂ３のＲＧＢ信号がＢＹｅ用色信号生成部１４２に与えられて、構成素子Ｂ１，Ｙｅ１それぞれに与える色信号が生成される。
【００６３】
そして、加重加算平均部１４３で、ＲＧＢ信号生成部１４１及びＢＹｅ信号生成部１４２それぞれからの構成素子Ｂ１の色信号ｂ１，ｂ２に対する加重加算平均を行うことで、構成素子Ｂ１に対する色信号ｂ３を生成する。この加重加算平均部１４３で加重加算平均された構成素子Ｂ１に対する色信号と、ＢＹｅ用色信号生成部１４２で得られる構成素子Ｙｅ１に対する色信号とが、合成部１４４ｂに与えられる。又、ＲＧＢ用色信号生成部１４１で得られる構成素子Ｒ１，Ｇ１それぞれに対する色信号が、合成部１４４ａに与えられる。
【００６４】
合成部１４４ａからは、構成素子Ｒ１，Ｇ１それぞれの色信号が、Ｒ１，Ｇ１の順にドライバ部１５に出力され、合成部１４４ｂからは、構成素子Ｂ１，Ｙｅ１それぞれの色信号が、Ｙｅ１，Ｂ１の順にラインメモリ１４８に出力される。尚、１行分となる構成素子Ｒ１，Ｇ１それぞれの色信号がドライバ部１５に出力されると、１行分となる構成素子Ｙｅ１，Ｂ１それぞれの色信号がラインメモリ１４８に格納されることとなる。
【００６５】
そして、ドライバ部１５より構成素子Ｒ１，Ｇ１に対する水平走査信号を出力して、表示部１６における１行分の構成素子Ｒ１，Ｇ１に対する発光が行われると、ラインメモリ１４８より、１行分となる構成素子Ｙｅ１，Ｂ１それぞれの色信号が出力される。よって、ドライバ部１５より構成素子Ｙｅ１，Ｂ１に対する水平走査信号を出力して、表示部１６における１行分の構成素子Ｙｅ１，Ｂ１に対する発光が行われる。このような動作を繰り返すことによって、表示部１６における映像が再生される。
【００６６】
＜第５の実施形態＞
本発明の第５の実施形態について、図面を参照して説明する。尚、本実施形態では、第４の実施形態と同様、２行２列のマトリクス状に並んだ４つの構成素子によって、１画素単位が設定される。図１９は、本実施形態の映像表示装置の表示部における構成素子の並びと、サンプリングを行うタイミングとの関係を示す図である。又、図２１は、本実施形態の映像表示装置における表示用信号生成部１４の内部構成を示すブロック図である。
【００６７】
本実施形態においても、第４の実施形態と同様、２行２列に並んだ構成素子Ｒ１，Ｇ１，Ｂ１，Ｙｅ１を１画素単位とする。本実施形態では、図１９に示すように、水平方向に並んだ２つの構成素子Ｒ１，Ｙｅ１と、水平方向に並んだ２つの構成素子Ｇ１，Ｂ１とが垂直方向に並ぶことによって、１画素単位Ｇｘ５が構成される。即ち、構成素子Ｒ１，Ｙｅ１が、奇数行において、水平方向にＲ１，Ｙｅ１の順に繰り返すように並べられ、又、構成素子Ｇ１，Ｂ１が、偶数行において、Ｇ１，Ｂ１の順に繰り返すように並べられる。
【００６８】
このように表示部１６における各画素単位Ｇｘ５が構成されるとき、サブサンプリング部１２におけるＲＧＢ信号に対するサンプリングを行うタイミングとして、１画素単位Ｇｘ５に対して、２つのタイミングＴ１０，Ｔ１１が設定される。即ち、色信号Ｙｅを色信号Ｒ，Ｇによって合成されたＲ＋Ｇと擬似的に置換できることに基づいて、構成素子Ｒ１，Ｇ１，Ｂ１を一つの画素単位Ｇａ３と擬似的に設定するとともに、構成素子Ｂ１，Ｙｅ１を１つの画素単位Ｇｂ４と擬似的に設定する。そして、擬似的な画素単位Ｇａ３，Ｇｂ４それぞれの位置に対応したタイミングＴ１０，Ｔ１１がサンプリングタイミングとして設定される。このとき、タイミングＴ１０が、２つの構成素子Ｒ１，Ｇ１それぞれの中心位置に応じたタイミングとされ、タイミングＴ１１が、構成素子Ｙｅ１，Ｂ１それぞれの中心位置に応じたタイミングとされる。
【００６９】
このように、画素単位Ｇｘ５毎にタイミングＴ１０，Ｔ１１が設定されているとき、図２０（ａ）のようなアナログＲＧＢ信号それぞれがサブサンプリング部１２に入力されると、アナログＲＧＢ信号に対して、図２０（ｂ）に示すように、画素単位Ｇｘ５毎にタイミングＴ１０，Ｔ１１でサンプリングを行う。そして、サンプリングしたアナログＲＧＢ信号の値をデジタルデータに変換して、第４の実施形態と同様、擬似的な画素単位Ｇａ３，Ｇｂ４それぞれのデジタルＲＧＢ信号として、メモリ部１３に記憶させる。
【００７０】
そして、本実施形態では、表示用信号生成部１４は、図２１に示すように、第４の実施形態における図１８の構成に対して、合成部１４４ａ，１４４ｂの代わりに、合成部１４４ｃ，１４４ｄが設けられた構成となる。又、擬似的な画素単位Ｇａ３のＲＧＢ信号が与えられるＲＧＢ用色信号生成部１４１と、擬似的な画素単位Ｇｂ４のＲＧＢ信号がＢＹｅ用色信号生成部１４２と、加重加算平均部１４３とがそれぞれ、第４の実施形態と同様の動作を行う。
【００７１】
このとき、ＲＧＢ用色信号生成部１４１及びＢＹｅ用色信号生成部１４２で得られる構成素子Ｒ１，Ｙｅ１に対する色信号が、合成部１４４ｃに与えられる。又、加重加算平均部１４３で加重加算平均された構成素子Ｂ１に対する色信号と、ＲＧＢ用色信号生成部１４１で得られる構成素子Ｇ１それぞれに対する色信号が、合成部１４４ｄに与えられる。合成部１４４ｃからは、構成素子Ｒ１，Ｙｅ１それぞれの色信号が、Ｒ１，Ｙｅ１の順にドライバ部１５に出力され、合成部１４４ｄからは、構成素子Ｇ１，Ｂ１それぞれの色信号が、Ｇ１，Ｂ１の順にラインメモリ１４８に出力される。
【００７２】
本実施形態では、１行分となる構成素子Ｒ１，Ｙｅ１それぞれの色信号がドライバ部１５に出力されると、１行分となる構成素子Ｇ１，Ｂ１それぞれの色信号がラインメモリ１４８に格納されることとなる。よって、ドライバ部１５より、構成素子Ｒ１，Ｙｅ１に対する水平走査信号を出力した後、構成素子Ｇ１，Ｂ１に対する水平走査信号を出力することで、表示部１６における映像が再生される。
【００７３】
＜第６の実施形態＞
本発明の第６の実施形態について、図面を参照して説明する。尚、本実施形態では、第４の実施形態と同様、２行２列のマトリクス状に並んだ４つの構成素子によって、１画素単位が設定される。図２２は、本実施形態の映像表示装置の表示部における構成素子の並びと、サンプリングを行うタイミングとの関係を示す図である。又、図２４は、本実施形態の映像表示装置における表示用信号生成部１４の内部構成を示すブロック図である。
【００７４】
本実施形態においても、第４及び第５の実施形態と同様、２行２列に並んだ構成素子Ｒ１，Ｇ１，Ｂ１，Ｙｅ１を１画素単位とする。本実施形態では、図２４に示すように、水平方向に並んだ２つの構成素子Ｒ１，Ｙｅ１と、水平方向に並んだ２つの構成素子Ｇ１，Ｂ１とが垂直方向に並ぶことによって、１画素単位Ｇｘ６ａが構成され、水平方向に並んだ２つの構成素子Ｇ１，Ｂ１と、水平方向に並んだ２つの構成素子Ｒ１，Ｙｅ１とが垂直方向に並ぶことによって、１画素単位Ｇｘ６ｂが構成される。即ち、構成素子Ｒ１，Ｙｅ１，Ｇ１，Ｂ１が、奇数行において、水平方向にＲ１，Ｙｅ１，Ｇ１，Ｂ１の順に繰り返すように並べられ、又、構成素子Ｇ１，Ｂ１，Ｒ１，Ｙｅ１が、偶数行において、Ｇ１，Ｂ１，Ｒ１，Ｙｅ１の順に繰り返すように並べられる。
【００７５】
このように表示部１６における各画素単位Ｇｘ６ａ，Ｇｘ６ｂが構成されるとき、サブサンプリング部１２におけるＲＧＢ信号に対するサンプリングを行うタイミングとして、１画素単位Ｇｘ６ａ，Ｇｘ６ｂそれぞれに対して、第５の実施形態と同様、２つのタイミングＴ１０，Ｔ１１が設定される。即ち、第５の実施形態と同様、色信号Ｙｅを色信号Ｒ，Ｇによって合成されたＲ＋Ｇと擬似的に置換できることに基づいて、構成素子Ｒ１，Ｇ１，Ｂ１を一つの画素単位Ｇａ３と擬似的に設定するとともに、構成素子Ｂ１，Ｙｅ１を１つの画素単位Ｇｂ４と擬似的に設定する。そして、画素単位Ｇｘ６ａ，Ｇｘ６ｂそれぞれに対して、擬似的な画素単位Ｇａ３，Ｇｂ４それぞれの位置に対応したタイミングＴ１０，Ｔ１１がサンプリングタイミングとして設定される。
【００７６】
そして、第５の実施形態と同様、サブサンプリング部１２で、図２３（ａ）のようなアナログＲＧＢ信号それぞれが、画素単位Ｇｘ６ａ，Ｇｘ６ｂ毎に、図２３（ｂ）に示すように、タイミングＴ１０，Ｔ１１でサンプリングされる。このサンプリング動作で得られた擬似的な画素単位Ｇａ３，Ｇｂ４それぞれのデジタルＲＧＢ信号が、メモリ部１３に記憶される。
【００７７】
又、本実施形態では、表示用信号生成部１４は、図２４に示すように、第５の実施形態における図２１の構成に対して、合成部１４４ｃ，１４４ｄの出力とラインメモリ１４８及びドライバ１５の入力との間の接続を切り換えるスイッチＳＷ１，ＳＷ２が追加された構成となる。又、擬似的な画素単位Ｇａ３のＲＧＢ信号が与えられるＲＧＢ用色信号生成部１４１と、擬似的な画素単位Ｇｂ４のＲＧＢ信号がＢＹｅ用色信号生成部１４２と、加重加算平均部１４３と、合成部１４４ｃ，１４４ｄとがそれぞれ、第５の実施形態と同様の動作を行う。
【００７８】
よって、合成部１４４ｃから、構成素子Ｒ１，Ｙｅ１それぞれの色信号が、Ｒ１，Ｙｅ１の順に出力され、合成部１４４ｄから、構成素子Ｇ１，Ｂ１それぞれの色信号が、Ｇ１，Ｂ１の順に出力される。このように動作するとき、画素単位Ｇｘ６ａに対する処理がなされる場合は、合成部１４４ｃからの構成素子Ｒ１，Ｙｅ１それぞれの色信号が、スイッチＳＷ１によってドライバ１５に与えられ、合成部１４４ｄからの構成素子Ｇ１，Ｂ１それぞれの色信号が、スイッチＳＷ２によってラインメモリ１４８に与えられる。又、画素単位Ｇｘ６ｂに対する処理がなされる場合は、合成部１４４ｃからの構成素子Ｒ１，Ｙｅ１それぞれの色信号が、スイッチＳＷ１によってラインメモリ１４８に与えられ、合成部１４４ｄからの構成素子Ｇ１，Ｂ１それぞれの色信号が、スイッチＳＷ２によってドライバ１５に与えられる。
【００７９】
本実施形態では、このように、構成素子Ｒ１，Ｙｅ１，Ｇ１，Ｂ１それぞれの色信号が循環して出力され、１行分となる色信号がドライバ部１５に出力されると、構成素子Ｇ１，Ｂ１，Ｒ１，Ｙｅ１それぞれの色信号が循環して出力され、この１行分の色信号がラインメモリ１４８に格納されることとなる。よって、ドライバ部１５より、構成素子Ｒ１，Ｙｅ１，Ｇ１，Ｂ１が循環する行に対する水平走査信号を出力した後、構成素子Ｇ１，Ｂ１，Ｒ１，Ｙｅ１が循環する行に対する水平走査信号を出力することで、表示部１６における映像が再生される。
【００８０】
＜第７の実施形態＞
本発明の第７の実施形態について、図面を参照して説明する。尚、本実施形態では、第４の実施形態と同様、２行２列のマトリクス状に並んだ４つの構成素子によって、１画素単位が設定される。図２５は、本実施形態の映像表示装置の表示部における構成素子の並びと、サンプリングを行うタイミングとの関係を示す図である。又、図２７は、本実施形態の映像表示装置における表示用信号生成部１４の内部構成を示すブロック図である。
【００８１】
図２５に示すように、本実施形態の映像表示装置の表示部１６では、第４の実施形態と異なり、水平方向に並んだ２つの構成素子Ｒ１，Ｇ１と、水平方向に並んだ２つの構成素子Ｃｙ１，Ｂ１とが垂直方向に並ぶことによって、１画素単位Ｇｘ７が構成される。尚、構成素子Ｒ１，Ｇ１，Ｂ１，Ｃｙ１はそれぞれ、色信号Ｒ（Red），Ｇ（Green），Ｂ（Blue），Ｃｙ（Cyan）に対応する構成素子である。そして、構成素子Ｒ１，Ｇ１が、奇数行において、水平方向にＲ１，Ｇ１の順に繰り返すように並べられ、又、構成素子Ｂ１，Ｃｙ１が、偶数行において、Ｃｙ１，Ｂ１の順に繰り返すように並べられる。又、色信号Ｃｙはそれぞれ、第２の実施形態と同様、擬似的に、色信号Ｃｙ＝Ｇ＋Ｂと置換することができるものとする。
【００８２】
このように表示部１６における各画素単位Ｇｘ７が構成されるとき、サブサンプリング部１２におけるＲＧＢ信号に対するサンプリングを行うタイミングとして、１画素単位Ｇｘ７に対して、２つのタイミングＴ１２，Ｔ１３が設定される。即ち、色信号Ｃｙを色信号Ｇ，Ｂによって合成されたＧ＋Ｂと擬似的に置換できることに基づいて、構成素子Ｒ１，Ｇ１，Ｂ１を一つの画素単位Ｇａ４と擬似的に設定するとともに、構成素子Ｒ１，Ｃｙ１を１つの画素単位Ｇｂ５と擬似的に設定する。そして、擬似的な画素単位Ｇａ４，Ｇｂ５それぞれの位置に対応したタイミングＴ１３，Ｔ１２がサンプリングタイミングとして設定される。このとき、タイミングＴ１２が、２つの構成素子Ｒ１，Ｃｙ１それぞれの中心位置に応じたタイミングとされ、タイミングＴ１３が、構成素子Ｇ１，Ｂ１それぞれの中心位置に応じたタイミングとされる。
【００８３】
このように、画素単位Ｇｘ７毎にタイミングＴ１２，Ｔ１３が設定されているとき、図２６（ａ）のようなアナログＲＧＢ信号それぞれがサブサンプリング部１２に入力されると、アナログＲＧＢ信号に対して、図２６（ｂ）に示すように、画素単位Ｇｘ７毎にタイミングＴ１２，Ｔ１３でサンプリングを行う。そして、サンプリングしたアナログＲＧＢ信号の値をデジタルデータに変換して、第４の実施形態と同様、擬似的な画素単位Ｇａ４，Ｇｂ５それぞれのデジタルＲＧＢ信号として、メモリ部１３に記憶させる。
【００８４】
そして、表示用信号生成部１４によって、この擬似的な画素単位Ｇａ４，Ｇｂ５それぞれのデジタルＲＧＢ信号のデータが、画素単位Ｇｘ７毎に読み出される。この表示用信号生成部１４は、図２７に示すように、第２の実施形態における図１２の構成に対して、メモリ部１４６及び合成部１４４の代わりに、合成部１４４ｅ，１４４ｆが設けられるとともに、合成部１４４ｆからの色信号を１行分だけ一時的に格納するラインメモリ１４８を備えた構成となる。よって、擬似的な画素単位Ｇａ４のＲＧＢ信号がＲＧＢ用色信号生成部１４１に与えられて、構成素子Ｒ１，Ｇ１，Ｂ１それぞれに対する色信号が生成されるとともに、擬似的な画素単位Ｇｂ５のＲＧＢ信号がＣｙＲ用色信号生成部１４５に与えられて、構成素子Ｒ１，Ｃｙ１それぞれに与える色信号が生成される。
【００８５】
そして、加重加算平均部１４７で、ＲＧＢ信号生成部１４１及びＣｙＲ信号生成部１４５それぞれからの構成素子Ｒ１の色信号ｒ１，ｒ２に対する加重加算平均を行うことで、構成素子Ｒ１に対する色信号ｒ３を生成する。この加重加算平均部１４７で加重加算平均された構成素子Ｒ１に対する色信号と、ＲＧＢ用色信号生成部１４１で得られる構成素子Ｇ１に対する色信号とが、合成部１４４ｅに与えられる。又、ＲＧＢ用色信号生成部１４１及びＣｙＲ用色信号生成部１４５で得られる構成素子Ｂ１，Ｃｙ１それぞれに対する色信号が、合成部１４４ｆに与えられる。
【００８６】
合成部１４４ｅからは、構成素子Ｒ１，Ｇ１それぞれの色信号が、Ｒ１，Ｇ１の順にドライバ部１５に出力され、合成部１４４ｆからは、構成素子Ｃｙ１，Ｂ１それぞれの色信号が、Ｃｙ１，Ｂ１の順にラインメモリ１４８に出力される。尚、１行分となる構成素子Ｒ１，Ｇ１それぞれの色信号がドライバ部１５に出力されると、１行分となる構成素子Ｃｙ１，Ｂ１それぞれの色信号がラインメモリ１４８に格納されることとなる。
【００８７】
そして、ドライバ部１５より構成素子Ｒ１，Ｇ１に対する水平走査信号を出力して、表示部１６における１行分の構成素子Ｒ１，Ｇ１に対する発光が行われると、ラインメモリ１４８より、１行分となる構成素子Ｃｙ１，Ｂ１それぞれの色信号が出力される。よって、ドライバ部１５より構成素子Ｃｙ１，Ｂ１に対する水平走査信号を出力して、表示部１６における１行分の構成素子Ｃｙ１，Ｂ１に対する発光が行われる。このような動作を繰り返すことによって、表示部１６における映像が再生される。
【００８８】
このように、第４〜第７の実施形態においても、第１の実施形態と同様、画素単位毎に、２つの擬似的な画素単位を設定して、サンプリングするタイミングとして２つのタイミングが設定される。よって、第４〜第７の実施形態における、２行２列の４つの構成素子からなる画素単位に対しても、２つの画素単位に擬似的に分割することができる。これにより、４つの構成素子を１画素単位とする場合に比べて、その解像度を高くすることができ、更に、再生する映像に対して、色偽現象を防ぐとともに鮮鋭化することができる。
【００８９】
尚、第４〜第７の実施形態において、２行２列の構成素子によって画素単位が形成される例を示したが、構成素子の配置については、これらの配置に限定されるものではなく、別の配置としても構わない。このとき、設定される擬似的な画素単位は、隣接する複数の構成素子によってＲＧＢの関係が同等となるものによって構成する。そして、サンプリングするタイミングについては、擬似的な画素単位それぞれを構成する構成素子の色が合成される比率に等価な位置に対応するタイミングに設定される。
【００９０】
更に、擬似的な画素単位それぞれが重なる位置に配置される構成素子がある場合は、その構成素子以外の構成素子の色が合成される比率に等価な位置に対応するタイミングを、サンプリングするタイミングとして設定する。即ち、ＲＧＢに追加した色の構成素子が設置される位置に対応するタイミングと、構成素子Ｒ１，Ｇ１，Ｂ１に対して追加した色と等価となる位置に対応するタイミングとが、サンプリングするタイミングとして設定される。又、擬似的な画素単位が重なる構成素子に対する色信号については、擬似的な画素単位それぞれから得られる色信号を加重加算することで生成される。
【００９１】
又、第１〜第７の実施形態において、構成素子Ｒ１，Ｂ１のいずれかに対する色信号を加重加算平均するものとしたが、ＲＧＢ用色信号生成部１４１で得られた色信号をそのまま、構成素子Ｒ１，Ｂ１のいずれかに対する色信号とし、加重加算平均を行わないものとしても構わない。更に、表示用信号生成部１４を機能ブロックで構成されるものとして説明したが、上述の機能ブロックに応じたプログラムによって動作するものとしても構わない。又、画素単位毎の構成素子の配置に応じたプログラムを複数備え、表示部１６において確認される構成素子の配置に対するプログラムを設定して、サブサンプリング部１２及び表示用信号生成部１４を動作させるものとしても構わない。
【産業上の利用可能性】
【００９２】
本発明の映像表示装置は、デジタルの色信号に基づいて発光する４色以上の構成素子を画素単位とする映像表示装置に適用することが可能であり、その映像表示装置として、ＬＣＤやＰＤＰや有機ＥＬ（ElectroLuminescence）などによるディスプレイに適用することができる。
【図面の簡単な説明】
【００９３】
【図１】は、本発明の各実施形態における映像表示装置の内部構成を示すブロック図である。
【図２】は、第１の実施形態の映像表示装置の表示部における構成素子の並びと、サンプリングを行うタイミングとの関係を示す図である。
【図３】は、アナログＲＧＢ信号の一例を示す図である。
【図４】は、サブサンプリング部でサンプリングされたデジタルＲＧＢ信号を示す図である。
【図５】は、サンプリングされたデジタルＲＧＢ信号より得られる、構成素子Ｒ１，Ｇ１，Ｂ１それぞれのデータを示す図である。
【図６】は、サンプリングされたデジタルＲＧＢ信号より得られる、構成素子Ｂ１，Ｙｅ１それぞれのデータを示す図である。
【図７】は、第１の実施形態の映像表示装置における表示用信号生成部の内部構成を示すブロック図である。
【図８】は、構成素子Ｂ１に対する色信号を加重加算平均するときの信号の状態を示す図である。
【図９】は、合成後の構成素子Ｒ１，Ｇ１，Ｂ１，Ｙｅ１それぞれの色信号の状態を示す図である。
【図１０】は、第２の実施形態の映像表示装置の表示部における構成素子の並びと、サンプリングを行うタイミングとの関係を示す図である。
【図１１】は、第２の実施形態の映像表示装置におけるサブサンプリング部によるサンプリング前後でのＲＧＢ信号の状態を示す図である。
【図１２】は、第２の実施形態の映像表示装置における表示用信号生成部の内部構成を示すブロック図である。
【図１３】は、第３の実施形態の映像表示装置の表示部における構成素子の並びと、サンプリングを行うタイミングとの関係を示す図である。
【図１４】は、第３の実施形態の映像表示装置におけるサブサンプリング部によるサンプリング前後でのＲＧＢ信号の状態を示す図である。
【図１５】は、第３の実施形態の映像表示装置における表示用信号生成部の内部構成を示すブロック図である。
【図１６】は、第４の実施形態の映像表示装置の表示部における構成素子の並びと、サンプリングを行うタイミングとの関係を示す図である。
【図１７】は、第４の実施形態の映像表示装置におけるサブサンプリング部によるサンプリング前後でのＲＧＢ信号の状態を示す図である。
【図１８】は、第４の実施形態の映像表示装置における表示用信号生成部の内部構成を示すブロック図である。
【図１９】は、第５の実施形態の映像表示装置の表示部における構成素子の並びと、サンプリングを行うタイミングとの関係を示す図である。
【図２０】は、第５の実施形態の映像表示装置におけるサブサンプリング部によるサンプリング前後でのＲＧＢ信号の状態を示す図である。
【図２１】は、第５の実施形態の映像表示装置における表示用信号生成部の内部構成を示すブロック図である。
【図２２】は、第６の実施形態の映像表示装置の表示部における構成素子の並びと、サンプリングを行うタイミングとの関係を示す図である。
【図２３】は、第６の実施形態の映像表示装置におけるサブサンプリング部によるサンプリング前後でのＲＧＢ信号の状態を示す図である。
【図２４】は、第６の実施形態の映像表示装置における表示用信号生成部の内部構成を示すブロック図である。
【図２５】は、第７の実施形態の映像表示装置の表示部における構成素子の並びと、サンプリングを行うタイミングとの関係を示す図である。
【図２６】は、第７の実施形態の映像表示装置におけるサブサンプリング部によるサンプリング前後でのＲＧＢ信号の状態を示す図である。
【図２７】は、第７の実施形態の映像表示装置における表示用信号生成部の内部構成を示すブロック図である。
【符号の説明】
【００９４】
１１    ＲＧＢマトリクス部
１２    サブサンプリング部
１３    メモリ部
１４    表示用信号生成部
１５    ドライバ部
１６    表示部
１７    サンプリング制御部
【図１】
2008083621.tif 000003
【図２】
2008083621.tif 000004
【図３】
2008083621.tif 000005
【図４】
2008083621.tif 000006
【図５】
2008083621.tif 000007
【図６】
2008083621.tif 000008
【図７】
2008083621.tif 000009
【図８】
2008083621.tif 000010
【図９】
2008083621.tif 000011
【図１０】
2008083621.tif 000012
【図１１】
2008083621.tif 000013
【図１２】
2008083621.tif 000014
【図１３】
2008083621.tif 000015
【図１４】
2008083621.tif 000016
【図１５】
2008083621.tif 000017
【図１６】
2008083621.tif 000018
【図１７】
2008083621.tif 000019
【図１８】
2008083621.tif 000020
【図１９】
2008083621.tif 000021
【図２０】
2008083621.tif 000022
【図２１】
2008083621.tif 000023
【図２２】
2008083621.tif 000024
【図２３】
2008083621.tif 000025
【図２４】
2008083621.tif 000026
【図２５】
2008083621.tif 000027
【図２６】
2008083621.tif 000028
【図２７】
2008083621.tif 000029